(57)【要約】【課題】情報端末の利用者が注目する箇所は十分な大きさの文字で見やすく表示し、且つ、画面全体で表示できる情報量を増やすことができる情報端末における文章表示方法を提供する。【解決手段】情報端末に備えられた表示装置に表示する文章を固定文字数の行に分割、編集し、所定の行においては最大フォントで文字を表示し、該所定の行以外の行においてはフォントを小さくして文字を表示する。【選択図】      図１
2004240301.tif 000002
【特許請求の範囲】
【請求項１】
情報端末に備えられた表示装置に表示する文章を固定文字数の行に分割、編集し、
該表示装置の所定の行においては、該表示装置内における最大フォントで文字を表示し、
該所定の行以外の行においてはフォントを小さくして文字を表示する
ことを特徴とする情報端末における文章表示方法。
【請求項２】
請求項１記載の情報端末における文章表示方法であって、
上記表示装置における上記所定の行を選択可能にする
ことを特徴とする情報端末における文章表示方法。
【請求項３】
請求項１又は請求項２のいずれかに記載の情報端末における文章表示方法であって、
固定文字数の行に分割、編集した文章の行数が、上記表示装置内における最大フォントで該表示装置に表示可能な行数以下である場合には、全ての行において該表示装置内における最大フォントで文字を表示する
ことを特徴とする情報端末における文章表示方法。
【請求項４】
請求項１乃至請求項３のいずれかに記載の情報端末における文章表示方法であって、
表示開始時には、固定文字数の行に分割、編集した文章の先頭を、上記表示装置内における最大フォントで表示すべく指定された行の先頭に合わせて表示することを特徴とする情報端末における文章表示方法。
【発明の詳細な説明】
【０００１】
【発明の属する技術分野】
本発明は、情報端末における文章表示方法に係り、特に、情報端末の利用者が情報端末に備えられた表示装置上で注目する表示領域は十分な大きさの文字で見やすく表示し、且つ、情報端末の表示装置の画面全体に表示できる情報量を増やすことができる情報端末における文章表示方法に関する。
【０００２】
以前は、情報端末といえばパーソナル・コンヒュータやワード・プロセッサ等のように比較的大型の表示装置を備えているものが一般的であったが、最近では携帯電話機やパーソナル・デジタル・アシスタント（ＰＤＡ）等のように表示装置が小型である情報端末の普及が急速に進んでいる。そして、小型であることとは相矛盾することであるが、表示装置上に一遍に表示できる情報量の増加が望まれている。
【０００３】
一方、社会の高齢化と共にいやがおうでも利用者の高齢化が進んでおり、利用者の視力が減退していても視認性がよい情報端末が望まれている。又、広い意味での所謂バリア・フリー社会に向けて、先天的な弱視者にも使い勝手がよい情報端末が望まれている。
本発明は、表示情報量の増加と視認性の、一見して矛盾する２つの要望を満たそうというものである。
【０００４】
【従来の技術】
図６は、従来の文章表示の例である。この例では、通常は１文字が１６ドット×１８ドットのフォントによって、８文字で１行とし、９行で表示装置の１画面を構成して表示する。最近では、表示装置の精細度が急速に向上しているので、上記の表示では表示情報量が不足する場合には、１文字のフォントを一律に小さく切り替えて文章を表示する方法がとられている。これを、第一の表示方法と呼ぶことにする。
【０００５】
又、特許文献１に記載があるように、カーソルが示している行の表示内容を表示装置の特定の箇所に拡大表示する技術も開発されている。これを、第二の表示方法と呼ぶことにする。
【０００６】
【特許文献１】情報表示方式：特開平９−７３２９０号公開公報
【０００７】
【発明が解決しようとする課題】
上記第一の表示方法の場合、フォントを一律に小さく切り変えるので、表示情報量を容易に増加することができるが、視力が減退した高齢者やもとより視力が低い弱視者にとっては十分な視認性を得ることができず、使い勝手が悪いものとなる。又、或る程度よい視力を持ち合わせている者でも、文字が小さいと誤読する恐れが増加する。、
又、上記第二の表示方法の場合、カーソルがあるなど情報端末の利用者が注目している行の文字を拡大して表示装置の特定の表示箇所に拡大表示するので、情報端末の利用者が注目している部分について誤読の恐れがなくなり、しかも、他の行は小さな文字で表示するので、表示情報量を大きくすることができる。しかし、文章を読む時に目を異なる表示箇所の間で移動させなければならず、必ずしも読み安いものではなく、しかも、カーソルがある行に表示されている文字を特定の表示箇所に全て表示できるとは限らず、前後の行と連続性を保って拡大表示された文章を読むことができないという使い勝手の悪さを避けることができない。
【０００８】
本発明は、情報端末における文章表示方法のかかる問題点に鑑み、情報端末の利用者が注目する箇所は十分な大きさの文字で見やすく表示し、且つ、画面全体で表示できる情報量を増やすことができる情報端末における文章表示方法を提供することを目的とする。
【０００９】
【課題を解決するための手段】
情報端末の利用者が表示装置に表示された文章をスクロールしながら読む場合、漫然と表示画面全体を見ている訳ではなく、例えば表示画面の上部とか中央部とか、特定の表示箇所に注目するという性向がある。従って、利用者が注目しやすい表示箇所の文字を大きく表示し、それを外れた表示箇所の文字は小さく表示すれば、表示情報量を多く保つことができて、スクロールのためのキー操作のわずらわしさが減少し、しかも、利用者が注目している箇所では誤読の恐れが減少する。本発明は、情報端末の利用者のかかる性向に着目してなされたもので、しかも、利用者に性向の差があっても適応できるようにしたものである。
【００１０】
即ち、第一の発明は、情報端末に備えられた表示装置に表示する文章を固定文字数の行に分割、編集し、該表示装置の所定の行においては、該表示装置内における最大フォントで文字を表示し、該所定の行以外の行においてはフォントを小さくして文字を表示することを特徴とする情報端末における文章表示方法である。
【００１１】
第一の発明によれば、所定の行においては最大フォントで文字を表示し、該所定の行以外の行においてはフォントを小さくして文字を表示するので、情報端末の利用者が注目する箇所は十分な大きさの文字で見やすく表示し、且つ、画面全体で表示できる情報量を増やすことができる。しかも、表示する文章を固定文字数の行に分割、編集するので、行によってフォントが違っても文章の連続性が保たれるという利点がある。
【００１２】
又、第二の発明は、第一の発明の情報端末における文章表示方法であって、上記表示装置における上記所定の行を選択可能にすることを特徴とする情報端末の文章表示方法である。
第二の発明によれば、所定の行の表示箇所を選択可能にするので、情報端末の利用者の性向に差があっても自在に適応することができる。
【００１３】
又、第三の発明は、第一の発明又は第二の発明のいずれかの情報端末における文章表示方法であって、固定文字数の行に分割、編集した文章の行数が、上記表示装置内における最大フォントで該表示装置に表示可能な行数以下である場合には、全ての行において該表示装置内における最大フォントで文字を表示することを特徴とする情報端末における文章表示方法である。
【００１４】
第三の発明によれば、分割、編集した文章の行数が最大フォントで上記表示装置に表示可能な行数以下である場合には、全ての行において最大フォントで文字を表示するので、文章が短い場合には全ての文字を見やすく表示することができるという利点を生ずる。
更に、第四の発明は、第一の発明乃至第三の発明のいずれかの情報端末における文章表示方法であって、表示開始時には、固定文字数の行に分割、編集した文章の先頭を、上記表示装置内における最大フォントで表示すべく指定された行の先頭に合わせて表示することを特徴とする情報端末における文章表示方法である。
【００１５】
第四の発明によれば、表示開始時には、固定文字数の行に分割、編集した文章の先頭行を、最大フォントで表示すべく指定された行の先頭に合わせて表示するので、フォント・データが変わっても、文章の先頭の数行を必ず最大フォントで表示することができ、表示情報量を増加させながら、必要な行は正確に読むことができるという利点が生ずる。
【００１６】
【発明の実施の形態】
以降、図面を併用して本発明の技術を詳細に説明する。
図１は、本発明の原理的構成である。
図１において、１は全般的に文章の表示を制御する制御部、２はメールで受信したり図示を省略しているキー・ボードから書き込んだ文章の保存を制御する文章保存制御部、３はメールで受信したり書き込んだ文章を保存する保存メモリ、４は文章のＬＣＤ（液晶表示装置）への表示を制御するＬＣＤ表示制御部、５は文章を表示するＬＣＤ、６は文章の表示フォントを記憶するフォント・データ・メモリ、７は制御部１のバスである。尚、上では小型表示装置の代表であるＬＣＤを表示装置に用いることを想定しているが、表示装置はＬＣＤに限定されるものではない。又、文章保存メモリ３及びフォント・データ・メモリ６は不揮発性メモリであることが好ましい。
【００１７】
図１の構成の動作の概要は次の通りである。
即ち、メールで受信したり書き込んだ文章は制御部１の指示によって、文章保存制御部２を介して文章保存メモリ３に格納される。
文章保存メモリ３に格納した文章を表示する場合には、制御部１は、文章保存制御部２を介して文章保存メモリ３から格納した文章を読み出し、読み出した文章を所定文字数の行に区切って編集し、フォント・データ・メモリ６に格納されているフォント・データを付してＬＣＤ表示制御部４に表示処理を指示する。
【００１８】
ＬＣＤ表示制御部は、所定文字数に区切って編集された文章とフォント・データとを受けて、表示ドットの点滅を決定してＬＣＤ５に表示させる。
図５は、以下の説明で使用する本発明におけるフォント・データの例で、図６との整合性から最大のフォントは１６ドット×１８ドットとし、以降、１２×１３、１０×１０及び８×８を併用して、縦方向の表示ドット数が図６と同じ１６２ドットとなる場合を示している。
【００１９】
図５（イ）は、表示装置の上部で文字を大きく表示する例で、上から順に、１６×１８の標準フォントで６行、１２×１３で２行、１０×１０で２行、８×８で１行を表示する例である。
図５（ロ）は、表示装置の中央部で文字を大きく表示する例で、上から順に、８×８で１行、１０×１０で２行、１２×１３で２行、１６×１８で３行、１２×１３で２行、１０×１０で２行、８×８で１行を表示する例である。
【００２０】
図５（ハ）は、表示装置の上部で文字を大きく表示する例で、上から順に、８×８で１行、１０×１０で２行、１２×１３で２行、１６×１８で６行を表示する例である。
当然のことながら、１文字のドット数を決めるフォントは上記に限定される訳ではなく、又、同一フォントで表示する行数も上記に限定される訳でもない。しかも、表示装置内での最大フォントを従来の表示方法における標準フォントと一致させることにしているが、これも、従来の表示方法における標準フォントと一致させなければならない訳ではない。
【００２１】
そして、フォント・データ・メモリ６には、単一のフォント・データを格納しておいて、当該フォント・データを固定的に使ってもよいし、従来のフォント・データを含めて複数のフォント・データを格納しておいて、設定によってフォント・データを選択可能にしてもよい。
図２は、本発明の第一の実施の形態を示すフローチャートである。これは、従来の表示方法と単一のフォント・データに基づく本発明の表示方法を選択するもので、本発明の表示方法については、表示装置の上部で文字を大きく表示し、表示装置の下部にゆくに従って文字を小さく表示することを前提にしている。
【００２２】
Ｓ１．文章を、所定文字数で改行して編集する。
ここでは、図５及び図６に示した例を前提にしているので、所定文字数は８文字であるが、８文字に限定されるものではない。
Ｓ２．表示方法は、本発明の表示方法か、従来の表示方法かを判断する。
本発明の表示方法か、従来の表示方法かを判断するためには、なんらかの設定が必要であるが、これは公知の技術で容易に実現することができる。そして、設定は少なくともこの表示処理が終了するまでは保持されている。
【００２３】
Ｓ６．ステップＳ２で、従来の表示方法であると判断した場合（従来）には、１６×１８で９行表示すべく決定する。
Ｓ７．一方、ステップＳ２で、本発明の表示方法であると判断した場合（本発明）には、図５（イ）のフォント・データに従って表示すべく決定する。
ここで、従来の表示方法を選択対象としない場合には、ステップＳ２及びステップＳ６の処理は不要になって、フローチャートから削除できる。
【００２４】
Ｓ１０．フォントを決定したら、表示処理を行なう。
ステップＳ６の、１６×１８で９行表示する表示方法に決定した場合には、ステップＳ１で編集した文章の先頭９行を読み出して、全て同一の大きさで文字を表示する。
ステップＳ７の、図５（イ）のフォント・データに従う表示方法に決定した場合には、ステップＳ１で編集した文章の先頭１１行を読み出して、上から順に、１６×１８の標準フォントで６行、１２×１３で２行、１０×１０で２行、８×８で１行を表示する。
【００２５】
Ｓ１１．上下にスクロールするキーが入力されたか否か判定する。
Ｓ１２．ステップＳ１１で、スクロール・キーの入力があったと判断した場合（Ｙｅｓ）には、スクロール・キーの入力に従ってスクロールしてステップＳ２にジャンプする。                                                        そして、先に設定されて保持されている表示方法を選択して、ステップＳ１０の表示処理を行なう。
【００２６】
ステップＳ６の、１６×１８で９行表示する表示方法の場合には、スクロールが下方向の場合には、ステップＳ１で編集した文章の２行目を先頭として９行を全て同一の大きさで文字を表示する。一方、スクロールが上方向の場合には、表示領域の１行目が空いて、ステップＳ１で編集した文章の１行目から８行が表示領域の２行目から９行目に表示される。
【００２７】
ステップＳ７の、図５（イ）のフォント・データに従う表示方法に決定した場合には、スクロールが下方向の場合には、ステップＳ１で編集した文章の２行目を先頭として１１行を、上から順に、１６×１８の標準フォントで６行、１２×１３で２行、１０×１０で２行、８×８で１行を表示する。従って、この時には、ステップＳ１で編集した文章の７行目、９行目及び１１行目のフォントが１段大きくなり、ステップＳ１で編集した文章の１２行目が表示領域の１１行目に最小フォントで新たに表示される。一方、スクロールが上方向の場合には、表示領域の１行目が空いて、ステップＳ１で編集した文章の１行目から５行目が表示領域の６行目までに１６×１８で表示され、ステップＳ１で編集した文章の６行目、８行目及び１０行目のフォントが１段小さくなり、ステップＳ１で編集した文章の１１行目が表示領域から消える。
【００２８】
以降、スクロールの度に上記に準じて表示内容が変化する。
Ｓ１３．ステップＳ１１で、スクロール・キーの入力がなかったと判断した場合（Ｎｏ）には、表示を終了するか否か判断する。
これは、タイム・アウトの検出によってもよいし、情報端末の利用者の終了入力の検出によってもよい。
【００２９】
表示を終了しない場合（Ｎｏ）には、ステップＳ１２にジャンプし、表示を終了する場合（Ｙｅｓ）には、処理を終了する。
図２の例の場合には、従来の表示方法で９行表示できたものが、本発明の表示方法によれば１１行表示できるようになって表示情報量が増加するが、表示装置の大きさが大きくなる程表示情報量の増加度合いが増す。そして、表示領域の上部の表示文字のフォントを大きく保ってスクロールしてゆくため、編集された文章の下の方の行が順にフォントが大きい表示領域にシフトされて表示され、必要な情報を正確に読み取ることができる。しかも、フォントの大小とは無関係に１行に表示する文字数を一定に保っているので、フォントが変化しても文章の連続性が保たれるという利点がある。
【００３０】
図３は、本発明の第二の実施の形態を示すフローチャートである。これは、従来の表示方法と複数のフォント・データに基づく本発明の表示方法を選択するもので、本発明の表示方法については、図５に示した全てのフォント・データの中から１つのフォント・データを選択するものである。
Ｓ１．文章を、所定文字数で改行して編集する。
【００３１】
ここでは、図５及び図６に示した例を前提にしているので、所定文字数は８文字であるが、８文字に限定されるものではない。
Ｓ２．表示方法は、本発明の表示方法か、従来の表示方法かを判断する。
本発明の表示方法か、従来の表示方法かを判断するためには、なんらかの設定が必要であるが、これは公知の技術で容易に実現することができる。そして、設定は少なくともこの表示処理が終了するまで保持されている。
【００３２】
Ｓ４．ステップＳ２で、本発明の表示方法であると判定した場合（本発明）には、先頭行を最大フォントで表示するか否か判定する。
これも設定結果を判定することで実現できる。又、設定は少なくともこの表示処理が終了するまで保持されている。
Ｓ５．ステップＳ４で、先頭行を最大フォントで表示しないと判定した場合（Ｎｏ）には、最終行を最大フォントで表示するか否か判定する。
【００３３】
これも設定結果を判定することで実現できる。又、設定は少なくともこの表示処理が終了するまでは保持されている。
ステップＳ４で、先頭行を最大フォントで表示するか否か判定し、ステップＳ５で、最終行を最大フォントで表示するか否か判定するので、この２段の判定で図５に示した文章表示の例のいずれによって表示するかが確定する。
【００３４】
Ｓ６．ステップＳ２で、従来の表示方法であると判定した場合（従来）には、１６×１８で９行表示すべく決定する。
Ｓ７．ステップＳ４で、先頭行を最大フォントで表示すると判定した場合（Ｙｅｓ）には、図５（イ）のフォント・データに従って表示すべく決定する。
Ｓ８．ステップＳ５で、最終行を最大フォントで表示しないと判定した場合（Ｎｏ）には、図５（ロ）のフォント・データに従って表示すべく決定する。
【００３５】
Ｓ９．ステップＳ５で、最終行を最大フォントで表示すると判定した場合（Ｙｅｓ）には、図５（ハ）のフォント・データに従って表示すべく決定する。
ここで、従来の表示方法を選択対象としない場合には、ステップＳ２及びステップＳ６の処理は不要になる。
Ｓ１０．フォントを決定したら、表示処理を行なう。
【００３６】
ステップＳ６の、１６×１８で９行表示する表示方法に決定した場合には、ステップＳ１で編集した文章の先頭９行を読み出して、全て同一の大きさで文字を表示する。
ステップＳ７の、図５（イ）のフォント・データに従う表示方法に決定した場合には、ステップＳ１で編集した文章の先頭１１行を読み出して、上から順に、１６×１８の標準フォントで６行、１２×１３で２行、１０×１０で２行、８×８で１行を表示する。
【００３７】
ステップＳ８の、図５（ロ）のフォント・データに従う表示方法に決定した場合には、まず、ステップＳ１で編集した文章の先頭８行を読み出して、先頭３行を１６×１８で表示領域の６行目から８行目に表示し、４行目及び５行目を１２×１３で表示領域の９行目と１０行目に表示し、６行目と７行目を１０×１０で表示領域の１１行目と１２行目に表示し、８行目を表示領域の１３行目に表示する。
【００３８】
ステップＳ９の、図５（ハ）のフォント・データに従う表示方法に決定した場合には、まず、ステップＳ１で編集した文章の先頭６行を読み出して、それを１６×１８で表示領域の６行目から１１行目に表示する。
Ｓ１１．上下にスクロールするキーが入力されたか否か判定する。
Ｓ１２．ステップＳ１１で、スクロール・キーの入力があったと判断した場合（Ｙｅｓ）には、スクロール・キーの入力に従ってスクロールしてステップＳ２にジャンプする。
【００３９】
そして、先に設定、保持されている表示方法を選択して、ステップＳ１０の表示処理を行なう。
ステップＳ６の、１６×１８で９行表示する表示方法の場合には、スクロールが下方向の場合には、ステップＳ１で編集した文章の２行目を先頭として９行を全て同一の大きさで文字を表示する。一方、スクロールが上方向の場合には、表示領域の１行目が空いて、ステップＳ１で編集した文章の１行目から８行を表示領域の２行目から９行目に表示する。
【００４０】
ステップＳ７の、図５（イ）のフォント・データに従う表示方法に決定した場合には、スクロールが下方向の場合には、ステップＳ１で編集した文章の２行目を先頭として１１行を、上から順に、１６×１８の標準フォントで６行、１２×１３で２行、１０×１０で２行、８×８で１行を表示する。従って、この時には、ステップＳ１で編集した文章の７行目、９行目及び１１行目のフォントが１段大きくなり、ステップＳ１で編集した文章の１２行目が表示領域の１１行目に最小フォントで新たに表示される。一方、スクロールが上方向の場合には、表示領域の１行目が空いて、ステップＳ１で編集した文章の１行目から５行目が表示領域の６行目までに１６×１８で表示され、ステップＳ１で編集した文章の６行目、８行目及び１０行目のフォントが１段小さくなり、ステップＳ１で編集した文章の１１行目が表示領域から消える。
【００４１】
ステップＳ８の、図５（ロ）のフォント・データに従う表示方法に決定した場合には、スクロールが下方向の場合には、既に表示されていた文章を表示領域上で１行上にシフトして表示し、ステップＳ１で編集された文章の１２行目を表示領域の１３行目に表示する。従って、ステップＳ１で編集された文章の１行目のフォントが１段小さくなり、ステップＳ１で編集された文章の４行目と６行目のフォントが１段大きくなり、ステップＳ１で編集された文章の１２行目は最小フォントで表示される。一方、スクロールが上方向の場合には、既に表示されていた文章を表示領域上で１行下にシフトして表示する。従って、ステップＳ１で編集した文章の１行目から７行目が表示領域の７行目から１３行目に表示されることになり、ステップＳ１で編集した文章の３行目、５行目及び７行目のフォントが１段小さくなる。
【００４２】
ステップＳ９の、図５（ハ）のフォント・データに従う表示方法に決定した場合には、スクロールが下方向の場合には、既に表示されていた文章を表示領域上で１行上にシフトして表示し、ステップＳ１で編集された文章の７行目を表示領域の１３行目に表示する。従って、ステップＳ１で編集された文章の１行目のフォントが１段小さくなる。一方、スクロールが上方向の場合には、既に表示されていた文章を表示領域上で１行下にシフトして表示する。従って、ステップＳ１で編集した文章の１行目から５行目が表示領域の７行目から１１行目に表示されることになり、表示領域の６行目には文章が表示されなくなる。
【００４３】
以降、スクロールの度に上記に準じて表示内容が変化する。
Ｓ１３．ステップＳ１１で、スクロール・キーの入力がなかったと判断した場合（Ｎｏ）には、表示を終了するか否か判断する。
これは、タイム・アウトの検出によってもよいし、情報端末の利用者の終了入力の検出によってもよい。
【００４４】
表示を終了しない場合（Ｎｏ）には、ステップＳ１２にジャンプし、表示を終了する場合（Ｙｅｓ）には、処理を終了する。
図２の例の場合には、従来の表示方法で９行表示できたものが、図５（イ）と図５（ハ）の表示方法によれば１１行表示できるようになって表示情報量が増加し、図５（ロ）の表示方法によれば１３行表示できるようになって表示情報量が増加するが、表示装置の大きさが大きくなる程表示情報量の増加度合いが増す。
【００４５】
そして、上記のように表示を制御することによって、図５に示したいずれのフォント・データに従って表示しても、ステップＳ１で編集した文章の先頭の数行を必ず最大フォントで表示することができ、情報端末の利用者の意思に従ったスクロールに応じて、ステップＳ１で編集した文章の中で最大フォントで表示する行が変化する。
【００４６】
従って、表示情報量を増加させながら、必要な行は正確に読むことができるという利点が生ずる。
図４は、本発明の第三の実施の形態を示すフローチャートである。これは、従来の表示方法と複数のフォント・データに基づく本発明の表示方法を選択し、本発明の表示方法については、図５に示した全てのフォント・データの中から１つのフォント・データを選択するものであって、しかも、本発明の表示方法を選択している時に、表示すべき行数が従来の表示方法での表示可能行数より少なくなった時には従来の表示方法に切り替えるものである。
【００４７】
図４と図３を比較すれば、ステップＳ２とステップＳ４の間に、表示文章は所定行数以下（この場合には所定行数は９行）か否かを判定するステップＳ３が挿入し、表示文章が所定行数以下でない場合（Ｎｏ）にステップＳ４に移行し、表示文章が所定行数以下である場合（Ｙｅｓ）にステップＳ６に移行する処理を行なうことだけが異なっていることが容易に理解できる。
【００４８】
従って、図４に示した表示処理について、これ以上詳細に説明することは省略する。
そして、図４に示した表示処理は、図３に示した表示処理が有する利点の他に、表示行数が従来の表示方法による所内行数以下になった時に全ての行を最大フォントで表示できることにより、更に、視認性が向上するという利点が生ずる。
【００４９】
【発明の効果】
以上詳述した如く、本発明によれば、情報端末の利用者が注目する箇所は十分な大きさの文字で見やすく表示し、且つ、画面全体で表示できる情報量を増やすことができる情報端末における文章表示方法が実現される。
即ち、第一の発明によれば、所定の行においては最大フォントで文字を表示し、該所定の行以外の行においてはフォントを小さくして文字を表示するので、情報端末の利用者が注目する箇所は十分な大きさの文字で見やすく表示し、且つ、画面全体で表示できる情報量を増やすことができる。しかも、表示する文章を固定文字数の行に分割、編集するので、行によってフォントが違っても文章の連続性が保たれるという利点がある。
【００５０】
又、第二の発明によれば、所定の行の表示箇所を選択可能にするので、情報端末の利用者の性向に差があっても自在に適応することができる。
又、第三の発明によれば、分割、編集した文章の行数が最大フォントで上記表示装置に表示可能な行数以下である場合には、全ての行において最大フォントで文字を表示するので、文章が短い場合には全ての文字を見やすく表示することができるという利点を生ずる。
【００５１】
更に、第四の発明によれば、表示開始時には、固定文字数の行に分割、編集した文章の先頭行を、最大フォントで表示すべく指定された行の先頭に合わせて表示するので、フォント・データが変わっても、文章の先頭の数行を必ず最大フォントで表示することができ、表示情報量を増加させながら、必要な行は正確に読むことができるという利点が生ずる。
【図面の簡単な説明】
【図１】本発明の原理的構成。
【図２】本発明の第一の実施の形態。
【図３】本発明の第二の実施の形態。
【図４】本発明の第三の実施の形態。
【図５】本発明による文章表示の例。
【図６】従来の文章表示の例。
【符号の説明】
１  メール制御部
２  メール保存制御部
３  メール保存メモリ
４  ＬＣＤ表示制御部
５  ＬＣＤ
６  フォント・データ・メモリ
７  バス
【図１】
2004240301.tif 000003
【図２】
2004240301.tif 000004
【図３】
2004240301.tif 000005
【図４】
2004240301.tif 000006
【図５】
2004240301.tif 000007
【図６】
2004240301.tif 000008